(57)【要約】【課題】  烈震に対しても優れた耐震性を発揮することができ、地震時の衝撃で墓石材が割れることもなく、墓石の新設や移設の際にも迅速に施工することができる組立て式耐震墓石を提供すること。【解決手段】  基礎部上に設置された土台石１に棹石２が載置されて成る墓石において、前記土台石１の下台部11と中台部12とを、対向する接合面の複数箇所に配設された一対のダボ穴にダボ材３を嵌入して連結し、かつ、前記土台石１の中台部12と上台部13とを、中台部12の納骨室の天井面から上台部13の上面まで穿通した貫通孔15の一方側から鍔部41を有する連結芯棒４を差込み、他方側へと貫通した前記芯棒４の雄ネジ部42にナット部材43を螺着して締結すると共に、この締結された上台部13から上方に突出した連結芯棒４の突先部44には、下面部に嵌合孔21を備えた棹石２を嵌装して固定した。【選択図】  図１
0003134503.tif 000002
【実用新案登録請求の範囲】
【請求項１】
基礎部Ｇ上に設置された土台石１に棹石２が載置されて成る墓石において、
前記土台石１が、底面が基礎部Ｇに固定された下台部11と、この下台部11上に配置され、かつ、下部が開口した空洞状の納骨室を備えた中台部12と、この中台部12上に配置され、かつ、上面に前記棹石２が載置される上台部13とを含んで構成される一方、
前記土台石１の下台部11と中台部12とが、対向する接合面の複数箇所に配設された一対のダボ穴14a・14bにダボ材３を嵌入して連結され、かつ、前記土台石１の中台部12と上台部13とは、中台部12の納骨室Ｃの天井面から上台部13の上面まで穿通した貫通孔15の一方側から鍔部41を有する連結芯棒４を差込み、他方側へと突き抜けた前記芯棒４の雄ネジ部42にナット部材43を螺着して締結されると共に、この締結された上台部13から上方に突出した連結芯棒４の突先部44には、下面部に嵌合孔21を備えた棹石２を嵌装して固定したことを特徴とする組立て式耐震墓石。
【請求項２】
ダボ材３及び連結芯棒４に制振性の高い金属棒材を使用したことを特徴とする請求項１記載の組立て式耐震墓石。
【請求項３】
土台石１の上台部13の上面に異形断面の沈み穴13bが設けられると共に、この沈み穴13bに連結芯棒４の鍔部41が挿入されてナット部材43を締付ける際又は緩める際の供回りを防止したことを特徴とする請求項１または２に記載の組立て式耐震墓石。
【請求項４】
連結芯棒４の鍔部41が着脱自在な構造であることを特徴とする請求項１〜３の何れか一つに記載の組立て式耐震墓石。
【考案の詳細な説明】
【技術分野】
【０００１】
本考案は、組立て式耐震墓石の改良、詳しくは、激しい地震に対しても優れた耐震性を発揮して、墓石材の破損の憂いがなく、しかも、分解組立ても容易で墓の新設および移設も迅速に施工することができる組立て式耐震墓石に関するものである。
【背景技術】
【０００２】
周知のとおり、墓地に設置される墓石は、石材を単に積み重ねただけでは耐震性に乏しく地震の際に簡単に倒壊してしまうため、墓石を構成する石材同士を強固に連結して耐震強度を高めるのが一般的である。
【０００３】
しかして、従来における墓石の耐震構造に関しては、各石材を接着剤で接合する方法が知られているが、上記接着剤を使用した構造は、接合面積の小さい中台部や上台部、棹石の連結において充分な接着強度を得ることができず、しかも、墓石を移設する必要が生じた場合に、墓石全体が接合されたままの状態で移設先に搬送しなければならなかったため不便であった。
【０００４】
一方、従来においては、＜特許文献１＞にあるように、石材の接合面にダボ穴を設け、そのダボ穴に棒状部材を嵌入して石材同士を連結した構造も公知となっている。
【０００５】
しかしながら、上記従来のダボ継ぎによる墓石構造は、烈震による激しい震動を受けた際、最上部の棹石の揺れに連動して上台部又は中台部が浮き上がってしまい、それにより棒状部材が外れて墓石が崩れてしまう危険性があった。
【０００６】
また、従来の耐震墓石の構造としては、＜特許文献２＞にあるように、納骨室上の土台石と棹石に設けた穿孔に金属棒材を挿通して連結し、その金属棒材と基礎に固設したアンカーボルトとを納骨室内においてターンバックルで接続した構造も公知となっている。
【０００７】
ところが、上記の耐震構造では、地震の衝撃が金属棒材に集中してしまうため、金属棒材が挿通された穿孔部から石材に罅割れが生じてしまう虞れがあった。
【特許文献１】実用新案登録３０８８６８２号公報（第２−１２頁、第１〜１０図）
【特許文献２】実用新案登録３１１７８５５号公報（第２−１０頁、第１〜９図）
【考案の開示】
【考案が解決しようとする課題】
【０００８】
本考案は、この上記の問題に鑑みてなされたものであって、その目的とするところは、烈震に対しても優れた耐震性を発揮することができ、地震時の衝撃で墓石材が割れることもなく、墓石の新設や移設の際にも迅速に施工することができる組立て式耐震墓石を提供することにある。
【課題を解決するための手段】
【０００９】
本考案者が、上記課題を解決するために採用した手段を添付図面を参照して説明すれば次のとおりである。
【００１０】
即ち、本考案は、基礎部Ｇ上に設置された土台石１に棹石２が載置されて成る墓石において、
前記土台石１を、底面が基礎部Ｇに固定された下台部11と、この下台部11上に配置され、かつ、下部が開口した空洞状の納骨室を備えた中台部12と、この中台部12上に配置され、かつ、上面に前記棹石２が載置される上台部13とを含んで構成する一方、
前記土台石１の下台部11と中台部12とを、対向する接合面の複数箇所に配設された一対のダボ穴14a・14bにダボ材３を嵌入して連結し、かつ、前記土台石１の中台部12と上台部13とを、中台部12の納骨室Ｃの天井面から上台部13の上面まで穿通した貫通孔15の一方側から鍔部41を有する連結芯棒４を差込み、他方側へと貫通した前記芯棒４の雄ネジ部42にナット部材43を螺着して締結すると共に、この締結された上台部13から上方に突出した連結芯棒４の突先部44には、下面部に嵌合孔21を備えた棹石２を嵌装して固定した点に特徴がある。
【００１１】
また、本考案においては、上記課題を解決するために、必要に応じて上記手段に加え、ダボ材３及び連結芯棒４に制振性の高い金属棒材を使用するという技術的手段を採用することができる。
【００１２】
また、本考案においては、上記課題を解決するために、必要に応じて上記手段に加え、土台石１の上台部13の上面に異形断面の沈み穴13bが設けると共に、この沈み穴13bに連結芯棒４の鍔部41を挿入してナット部材43を締付ける際又は緩める際の供回りを防止するという技術的手段を採用することができる。
【００１３】
また、本考案においては、上記課題を解決するために、必要に応じて上記手段に加え、連結芯棒４の鍔部41を着脱自在な構造とするという技術的手段を採用することができる。
【考案の効果】
【００１４】
本考案では、基礎に固定された土台石の下台部と、その上部に配置された中台部とをダボ接ぎにより連結する一方、中台部と上台部とを穿通して設けた貫通孔に連結芯棒を挿入して鍔部とナット部材により両者を締結して構成したことにより、接合面積が小さくても強固な連結で耐震性を増すことが可能となり、しかも、上台部と中台部とは連結芯棒により一体化されて安定性を増しているため、棹石の揺れによる浮き上がりも抑制されて、ダボ材の外れによる墓石の倒壊も防止することができる。
【００１５】
さらに、下台部と中台部の接合面の複数箇所にダボ接ぎ部を配設したことによって、地震により基礎から受ける衝撃を前記ダボ接ぎ部で分散させて吸収することができるため、連結芯棒に過大な負荷が集中することもなく、それによって石材に罅割れが生じることもない。
【００１６】
また、土台石及び棹石をダボ接ぎや連結芯棒で連結したことによって、組立てた墓石を再度分解することも容易となるため、墓石を他の場所に移設する際の搬送に非常に便利である。
【００１７】
したがって、本考案により、地震に対する耐震強度に優れるだけでなく、移設や納骨作業等における利便性も非常に高い組立て式墓石を提供できることから、本考案の実用的利用価値は非常に高いと云える。
【考案を実施するための最良の形態】
【００１８】
『実施例１』
本考案の実施例１を具体的に図示した図１及び図２に基いて更に詳細に説明すると次のとおりである。まず、図中において符号１で指示するものは、土台石であり、符号２で指示するものは、棹石である。次いで、符号３で指示するものは、ダボ材であり、符号４で指示するものは、連結芯棒である。
【００１９】
次に、本実施例の構成を以下から説明する。まず、本実施例においては、基礎Ｇに底面が固定される下台部11と、この下台部11上に配置され、下部が開口した空洞状の納骨室Ｃを備えた中台部12と、この中台部12上に配置され、上面に棹石２が載置される上台部13とから土台石１を構成した（図１、図２参照）。
【００２０】
そして、前記土台部１の下台部11の底面を接着材により基礎Ｇに固定すると共に、下台部11と中台部12とを、対向する接合面の３箇所に配設した一対のダボ穴14a・14bにダボ材３を嵌入して連結し、中台部12前部には水鉢台Ｐを配置して納骨室Ｃを閉鎖した。
【００２１】
さらに、前記土台石１の中台部12と上台部13とを、中台部12の納骨室Ｃの天井面から上台部13の上面まで穿通した貫通孔15の下方側から鍔部41を一端に有する連結芯棒４を差込み、上方側へと貫通した前記芯棒４の雄ネジ部42に対してナット部材43を螺着して締結した。
【００２２】
なお、この際には、連結芯棒４の鍔部41をネジ止めして固定するなどの着脱自在な構造とすることにより、上台部13の貫通孔15上部から連結芯棒４を一旦通した後、連結芯棒４の下部に鍔部41を取り付けて、再度中台部12の納骨室Ｃから上方に向けて連結芯棒４を持ち上げてナット部材43を取着してもよい。
【００２３】
そして、連結された上台部13の上方に突き出た連結芯棒４の突先部44には、下面部に嵌合孔21を備えた棹石２を嵌装して固定した。
【００２４】
なお、本実施例では、棹石２の嵌合孔21の開口部に、連結芯棒４の固定部材42を内挿可能な沈み穴22を形成した。
【００２５】
上記のように構成したことによって、土台石１を構成する各石材を強固に連結することが可能となり、しかも、上台部13は連結芯棒４で中台部12と一体化されることにより重量が増大されて縦揺れによる浮き上がりを抑制することができる。
【００２６】
さらに、土台石１の下台部11と中台部12の接合部の複数箇所にダボ材３・３…を配設したことによって、地震の衝撃を前記ダボ材３・３…で分散して弱めることができるため、連結芯棒４に過大な負荷が集中することもない。
【００２７】
なお、本実施例では、ダボ材３及び連結芯棒４に制振性の高い金属棒材を使用したことにより、震動による衝撃を一層効果的に吸収させることができる。
【００２８】
また、土台石１及び棹石２をダボ材３・３…や連結芯棒４で連結したことによって、墓石の組立・分解が容易となり、搬送等での利便性を向上できる。
【００２９】
そしてまた、納骨作業やその取出し作業などにおいて土台石１の納骨室Ｃ内の障害物となるアンカーボルト等の部材も省略しているため、作業を快適に行うこともできる。
【００３０】
『実施例２』
次に、本発明の実施例２について図３に基いて以下に詳細に説明する。本実施例では、土台石１の上台部13の上部に蓮華台13aを配置して二段構造とすると共に、連結芯棒４を貫通孔15の上方側から挿入して下方側に突き抜けた芯棒４の雄ネジ部42にナット部材43を取着して構成した（図３参照）。
【００３１】
また、本実施例においては、上台部13の上面に異形断面の沈み穴13bを形成して、この沈み穴13b内に連結芯棒４の鍔部41を内挿してナット部材43を締付ける際又は緩める際の供回りを防止すると共に、ダボ材３には、錆びないブロック状の石材を使用した。
【００３２】
また、本考案は、概ね上記のように構成されるが、図示の実施形態に限定されるものではなく、「実用新案登録請求の範囲」の記載内において種々の変更が可能であって、例えば、土台石部１の各石材を連結するために用いるダボ材３及び連結芯棒４には、一定の強度を有したものであれば他の材料を使用することができ、その中でも特に制振性が高いものが望ましい。
【００３３】
また、連結芯棒４のナット部材43にダブルナット又はスプリングワッシャを用いることによりナット部材43の緩みを防止することもできる。
【００３４】
そしてまた、土台石１において下台部11と中台部12の接合部に設けるダボ穴14の配置や数を任意に変更することもでき、何れも本考案の技術的範囲に属する。
【産業上の利用可能性】
【００３５】
最近では、高齢化社会の到来により墓石の需要が増加しており、特に永続的な使用するために大きな地震でもびくともしない耐震性に優れた墓石が求められている。
【００３６】
そのような中で、本考案の組立て式耐震墓石は、墓石の倒壊を招き易い縦揺れ地震に対して効果的であるだけでなく、移設等の実用面においても利便性に優れた有用な技術であることから、市場における需要は大きく、本考案の産業上の利用価値は非常に高いと云える。
【図面の簡単な説明】
【００３７】
【図１】本考案の実施例１における墓石を表わす全体断面図である。
【図２】本考案の実施例１における墓石を表わす説明斜視図である。
【図３】本考案の実施例２における墓石を表わす全体断面図である。
【符号の説明】
【００３８】
１  土台石
11  下台部
12  中台部
13  上台部
13a  蓮華台
13b  沈み穴
14  ダボ穴
15  貫通孔
２  棹石
21  嵌合孔
22  沈み穴
３  ダボ材
４  連結芯棒
41  鍔部
42  雄ネジ部
43  ナット部材
44  突先部
Ｇ  基礎部
Ｃ  納骨室
Ｐ  水鉢台
【図１】
0003134503.tif 000003
【図２】
0003134503.tif 000004
【図３】
0003134503.tif 000005